(57)【特許請求の範囲】
【請求項１】
側板により囲まれた筐体の上開口部と、
前記筐体の内部に配置された発音体の振動を取得して電気信号に変換するピックアップと、
前記上開口部を開閉自在に前記筐体に接続された屋根後と、
前記屋根後による前記上開口部の開口の程度を検出する開口検出部と、
前記開口検出部による検出に応じて、前記ピックアップが検出した電気信号を、補正する補正部と
を有するピアノ。
【請求項２】
前記開口検出部は、前記屋根後の傾きを検出し、
前記補正部は、前記屋根後の傾きが水平であるか否かに応じて補正を行う請求項１に記載のピアノ。
【請求項３】
前記補正部は、前記屋根後の傾きに応じて、前記行う補正の度合いを変化させる請求項２に記載のピアノ。
【請求項４】
前記開口検出部は、前記筐体内部の明るさを検出し、
前記補正部は、前記筐体内部の明るさが所定の値未満であるか否かに応じて補正を行う請求項１に記載のピアノ。
【請求項５】
前記開口検出部は、前記屋根後に配置され、筐体に一端が接続された突上棒の先端が接する屋根皿の圧力または前記屋根皿を経由した導電路の有無を検出し、
前記補正部は、前記開口検出部の検出の有無に応じて補正を行う請求項１に記載のピアノ。
【請求項６】
前記補正部は、前記屋根後が前記上開口部を覆っている場合に、前記ピックアップにより変換される電気信号の表わす音の特性を、前記屋根後が前記上開口部を開放している場合の特性に補正する請求項１から５のいずれかに記載のピアノ。
【発明の詳細な説明】
【技術分野】
【０００１】
本発明は、音響特性を変化させることが可能なピアノに関する。
【背景技術】
【０００２】
ピアノは、側板によって囲まれた筐体の内部に配置された弦を、鍵盤の操作によりハンマーが打撃して発生する弦の振動により音を発生する楽器である。また、ピアノの筐体の上開口部には、通常、屋根後（やねあと）が開閉自在に設置されている。屋根後はピアノを演奏せずに保管するときに、筐体の内部の空間を保護するために水平にされ、筐体の上開口部を覆い、筐体の上開口部は閉状態となる。また、演奏時には、弦の振動により発生する音を空間に効率よく放射するために、突上棒により、屋根後の一端が持ち上げられ、筐体の上開口部が開放状態となる。
【０００３】
もっとも、屋根後が水平にされた閉状態であっても、ピアノの鍵盤の操作を行うことにより音は発生する。しかし、屋根後が水平に配置され閉状態となっている場合と、屋根後の一端が持ち上げられ開放状態となっている場合とでは、ピアノの発する音の音色、音響特性が異なる。例えば、閉状態においては、弦から発生した音が屋根後に反射することにより発生する一次反射音と発音体である弦が直接発する音とが干渉する現象が開放状態よりも強く発生することにより、閉状態と開放状態とでは、音色が異なることが知られている（例えば、特許文献３参照。）。
【先行技術文献】
【特許文献】
【０００４】
【特許文献１】実公昭６１−０３４５５８号公報
【特許文献２】特開２００３−１８６４７６号公報
【特許文献３】特開２０１３−１３７４１４号公報
【発明の開示】
【発明が解決しようとする課題】
【０００５】
一方、ピアノの発音をピックアップにより電気信号に変換し、変換された電気信号を処理する技術が知られている（例えば、特許文献１および２参照。）。このようなピックアップによってピアノの発する音を電気信号に変換する場合においても、閉状態と開放状態とでは異なる音響特性を示す電気信号が得られる。
【０００６】
そこで、本発明の課題の一つとして、閉状態および開放状態のいずれかを検出し、音響特性を補正するピアノを提供する。
【課題を解決するための手段】
【０００７】
本発明の一実施形態として、側板により囲まれた筐体の上開口部と、前記筐体の内部に配置された発音体の振動を取得して電気信号に変換するピックアップと、前記上開口部を開閉自在に前記筐体に接続された屋根後と、前記屋根後による前記上開口部の開口の程度を検出する開口検出部と、前記開口検出部による検出に応じて、前記ピックアップが検出した電気信号を、補正する補正部とを有するピアノを提供する。
【発明の効果】
【０００８】
本発明の一実施形態に係るピアノによれば、筐体の上開口部が閉状態および開放状態のすくなくともいずれかを検出し、音響特性を補正することができる。
【図面の簡単な説明】
【０００９】
【図１】本発明の一実施形態に係るピアノの斜視図である。
【図２】本発明の一実施形態に係るピアノの斜視図である。
【図３】本発明の一実施形態に係るピアノの斜視図である。
【図４】本発明の一実施形態に係るピアノの断面図である。
【図５】本発明の一実施形態に係るピアノの内部構造図である。
【図６】本発明の一実施形態に係るピアノの断面図である。
【図７】本発明の一実施形態に係るピアノの信号処理装置の機能ブロック図である。
【図８】本発明の一実施形態に係るピアノの信号処理装置による補正について説明するための図である。
【発明を実施するための形態】
【００１０】
以下、本発明を実施するための形態を、実施形態として説明する。なお、本発明は、以下に説明する実施形態に限定されることはない。本発明は、以下に説明する実施形態に種々変形を行って実施することも可能である。
【００１１】
図１は、本発明の一実施形態に係るグランドピアノ１の斜視図である。グランドピアノ１は、演奏者の手前に鍵２が左右方向に並ぶ鍵盤を備える。また、鍵盤の後方には、側板１１により囲まれた空間を有する筐体を有する。筐体は、上開口部を有する。上開口部の手前には、譜面台１０が設けられている。通常は、ピアノを演奏せずに保管するときには、譜面台１０は、水平にされて筐体の内部に収納され、ピアノを演奏するときに、図１に示すように起立した状態となり、譜面などを演奏者のために保持する。また、譜面台に操作盤１８を設けることもできる。この場合、操作盤１８は、後に説明する信号処理装置に対する操作を行うためのものである。また、操作盤１８は、例えば、タッチパネルとして実現される。
【００１２】
筐体の、演奏者からみて鍵盤の高音側の内部には、突上棒１６が水平方向から斜め上方までの角度に回転自在となるように、突上棒１６の一端が筐体にジョイントやヒンジを用いて接続される。突上棒１６が斜め上方を向いているときには、突上棒１６の他端（先端）は、屋根後１３（大屋根）に設置された屋根皿１５に接する。屋根皿１５は穴の形状または窪みとなっており、突上棒１６の他端（先端）の一部が屋根皿１５に挿入される。これにより、屋根後１３の、鍵盤の高音側が開放された状態となる。すなわち、筐体の上開口部が開放状態となる。
【００１３】
屋根後１３の端部は、筐体に接続されている。これにより、屋根後１３は、筐体の上開口部を開閉可能となる。この場合、屋根後１３の端部は、鍵盤の低音側の屋根後１３の端部である。また、屋根後１３の端部は、筐体とヒンジにより接続されている。また、屋根後１３には、屋根前１２が、ロングヒンジ１４を介して接続されている。屋根後１３はピアノを演奏せずに保管する場合には、屋根後１３および屋根前１２が、筐体の上開口部を覆う。この状態から、図１に示すように、屋根後１３の、鍵盤の高音側が開放された状態にするには、まず、屋根前１２を、ロングヒンジを介して回転させて屋根後１３の上面に載せ、次に、屋根後１３の、鍵盤の高音側の端を持ち上げ、突上棒１６を斜め上方に向け、突上棒の先端を屋根皿１５に挿入させる。なお、屋根前１２と屋根後１３とを、ひとまとまりとして、「屋根」という場合がある。
【００１４】
また、グランドピアノ１には、ペダル脚柱５２の下端に、ペダル３（シフトペダル、ソステートペダルおよびダンパペダル）が露出しており、発音体である弦の振動を制御することができる。ペダル脚柱５２の下端のペダルとは反対側に、ペダル突かい棒４が配置され、ペダル脚柱５２の下端が固定される。
【００１５】
通常、グランドピアノ１が有する突上棒としては、突上棒１６以外に、突上棒１６よりも短い突上棒小１７が設けられている場合が多い。例えば、図１に示すように突上棒１６の根本の部分は、音叉のように二俣になっており、二俣の内側に突上棒小１７が収納可能となっている場合が多い。突上棒小１７は、突上棒１６と独立して回転可能に一端が筐体にジョイントやヒンジを用いて接続される。
【００１６】
図２は、突上棒小１７の先端を屋根皿１５に挿入させ、筐体の上開口部の、鍵盤の高音側が開放された状態を示す。この場合には、突上棒１６は、水平にされ、筐体の内部に収容される。突上棒小１７は、突上棒１６より短いので、屋根後１３がより水平に近くなり、筐体の上開口部の開放（開口）の度合い（大きさ）が小さくなる。
【００１７】
グランドピアノ１の発する音の音響特性（例えば、人が聴いた主観的な音色や、周波数スペクトル）を考えると、図１のように突上棒１６を用いて筐体の上開口部を開放する方が、図２のように突上棒小１７を用いて筐体の上開口部を開放するよりも、人が聴くと、のびのある周波数スペクトルを有する音を放射することができ、また、大きな音を放射することが可能である。また、筐体の上開口部を屋根後１３および屋根前１２によって覆い開放（開口）の度合い（大きさ）を小さくすると、人にとって、よりこもった感じに聞こえる音がピアノから発せられる。
【００１８】
しかし、図１のように屋根後１３を大きく傾けて筐体の上開口部を開放すると、屋根後１３の向こう側が遮られ、好ましい映像が得られないなどの問題が発生する。例えば、グランドピアノ１の演奏者が演奏しながら、鍵盤の低音側に位置するゲストと会話をするテレビ番組などを収録する場合には、図２のように、筐体の上開口部を小さく開放するか、屋根後１３を水平にして筐体の上開口部を開放しないのが好ましい。
【００１９】
図３は、屋根後１３および屋根前１２を水平にして、グランドピアノ１の筐体の上開口部の全体を覆った状態を図示する。図３の状態にするには、図１または図２の状態において、屋根後１３の、鍵盤の高音側の端を持ち上げ、突上棒１６、突上棒小１７を水平にして筐体の内部に収納し、屋根後１３を水平にする。次に、屋根前１２を、ロングヒンジ１４を中心に回転させ、鍵盤の前方の筐体の上開口部を覆う。
【００２０】
上述したように、屋根後１３および屋根前１２を水平にして、グランドピアノ１の筐体の上開口部を閉状態にしても、鍵２を押下することにより、弦を振動させ、ピアノを発音させることは可能であるが、開放状態とは音響特性が異なる。
【００２１】
これを改善するために、次に説明する構成により、弦の振動を電気信号に変換することができる。
【００２２】
図４は、グランドピアノ１の断面を横方向から見た場合の図である。すなわち、グランドピアノ１の内部構造を示す。鍵２を押下するとアクション機構を介してハンマー４が弦５を打撃する。
【００２３】
弦５は、グランドピアノ１の筐体内部に配置されたフレームを用いて張架されている。また、弦５の両端を一端および他端とし、一端がフレームのハンマー４側のチューニングピンに巻きつけて係止されているとした場合の他端は、駒６を介してフレームに係止される。「駒６を介して」とは、駒６が弦５を下から押し上げることにより弦５を支持しており、弦５の振動が駒６に伝達されるようになっていることをいう。
【００２４】
駒６は、響板７の上面に設けられている。また、響板７の駒６の配置された面とは反対面（下面）には響棒７５が配置されている。このため、弦５の振動が駒６に伝達されると、響板７および響棒７５に振動が伝達され、弦５の振動により発生する音が響板７および響棒７５により放射される。
【００２５】
本発明の一実施形態においては、図４に示すように、駒６の下部に、取付部材６０を介して、ピックアップ５０が配置される。ピックアップ５０は、駒６の振動を電気信号に変換する装置である。ピックアップ５０は、例えば圧電素子を有し、この圧電素子に駒６の振動が伝達することにより、駒６の振動に応じた電圧が発生する。発生した電圧は、図示されない配線により、信号処理装置７０に電気信号として入力される。また、ピックアップ５０の出力する電気信号を無線装置に入力し、無線により信号処理装置７０に送信することも可能である。
【００２６】
また、図４においては、信号処理装置７０は、グランドピアノ１の筐体の下面に配置しているが、任意の位置に配置することができる。また、信号処理装置７０を、グランドピアノ１と離隔して配置することもできる。例えば、グランドピアノ１の筐体直下の床面の上に配置することもできる。また、グランドピアノ１から離れた位置に配置することができる。しかし、いずれの場合も、ピックアップ５０は、信号処理装置７０と、有線または無線によって接続がされている。
【００２７】
図５は、グランドピアノ１の内部構造を示す別の図であり、グランドピアノ１の下から響板の方向をみた図である。図５において、符号６Ｌおよび６Ｈは、駒６に対応する。図２は、断面を示しているので、駒６は１つしか示されていないが、駒６は複数本配置されているのが通常である。図５において、駒６Ｌは低音側の弦５を支持し、駒６Ｈは高音側の弦５を支持する。
【００２８】
したがって、駒６Ｌおよび駒６Ｈのそれぞれに、ピックアップ５０Ｌおよびピックアップ５０Ｈが配置されている。また、駒６Ｌおよび駒６Ｈの振動を主にピックアップ５０Ｌおよびピックアップ５０Ｈが電気信号に変換するために、ピックアップ５０Ｌおよびピックアップ５０Ｈは、響棒７５の間に位置するのが好ましい。
【００２９】
なお、本発明においては、ピックアップ５０を、駒６の下部に配置することには限定はされない。例えば、ピックアップ５０は、駒６の側面や上面に配置することもできる。ピックアップ５０を駒の側面や上面に配置すると、ピックアップ５０の脱着が容易になる。
【００３０】
図６は、本発明の別の実施形態に使用可能なグランドピアノ１の内部構造を示す。図６の実施形態においては、ピックアップ８０は、駒６には配置されていない。そのかわりに、ピックアップ８０は、響板７に配置されている。これにより、ピックアップ８０は、響板７の振動を電気信号に変換する。この場合、ピックアップ８０は、ピックアップ５０と同様に、圧電素子により、振動を電気信号に変換してもよい。あるいは、ピックアップ８０に伝達される振動は、その上下動が駒６よりも大きくなるために、ピックアップ８０として、加速度センサーを用いることもできる。
【００３１】
加速度センサーとしては、例えば、枠と錘部とを接続する可撓部にピエゾ抵抗を配置し、錘部に加わる加速度に応じて変形する可撓部によるピエゾ抵抗の抵抗値を測定し、振動を検出するセンサーを用いることができる。このような加速度センサーは、半導体に例えばＭＥＭＳ（Ｍｉｃｒｏ  Ｅｌｅｃｔｒｏ  Ｍｅｃｈａｎｉｃａｌ  Ｓｙｓｔｅｍｓ）技術を適用して製造することができる。
【００３２】
加速度センサーにより発生した電気信号は、図示されない配線により、信号処理装置７０に入力される。また、ピックアップ５０の出力する電気信号を無線装置に入力し、無線により信号処理装置７０に送信することも可能である。図４を参照して説明したように、図５の実施形態においても、信号処理装置７０は任意の位置に配置することが可能である。
【００３３】
しかしながら、このようなピックアップにより弦の振動を電気信号に変換する場合であっても、筐体の上開口部の屋根後１３および屋根前１２の開放の程度（屋根の開放の程度）により、異なる音響特性を示す電気信号が得られてしまう。そこで、本発明の一実施形態においては、次に説明する構成を有する信号処理装置７０を用いる。
【００３４】
図７は、本発明の一実施形態に係る信号処理装置７０の機能ブロック図を示す。信号処理装置７０は、補正部７０１と、ピックアップ７０２と、開口検出部７０３と、イコライザ７０４と、サラウンドシミュレータ７０５と、スピーカ７０６とを有する。なお、信号処理装置７０の構成としては、補正部７０１と、開口検出部７０３とを必須の構成とし、ピックアップ７０２と、イコライザ７０４と、サラウンドシミュレータ７０５と、スピーカ７０６は、本発明の一実施形態に係る構成にとっては任意の構成とすることもできる。
【００３５】
補正部７０１は、ピックアップ７０２が変換した信号を入力とし、開口検出部７０３の出力する信号に応じて、補正を行い、補正がされた信号を出力する。出力する信号は電気信号でもよいし、例えば光信号でもよい。なお、「補正を行う」とは、補正部７０１にピックアップ７０２から入力された信号と、補正部７０１が出力した信号とが同じである場合を含んでいてもよい。
【００３６】
ピックアップ７０２としては、例えば、図４のピックアップ５０、図５のピックアップ５０Ｌ、５０Ｈとして説明したもののように、駒６、６Ｌ、６Ｈの振動を電気信号に変換するものがある。また、図６のピックアップ８０として説明したもののように、響板７の振動を電気信号に変換するものもある。また、グランドピアノ１の発する音を取得するマイクをピックアップ７０２として使用することもできる。
【００３７】
開口検出部７０３は、グランドピアノ１の筐体の上開口部の開口の程度を検出する検出装置である。開口の程度とは、一実施形態においては、筐体の上開口部の全体が、屋根後１３および屋根前１２が水平になっているために、覆われているか否かを表わす。例えば、グランドピアノの筐体の内部に照度センサーを配置しておき、その照度センサーが検出する筐体の内部の明るさが所定の値未満であるかいなかを検出する。照度センサーが検出する明るさが所定の値未満であれば、筐体の上開口部の全体が屋根後１３および屋根前１２により覆われているとし、照度センサーが検出する明るさが所定の値以上であれば、グランドピアノ１の上開口部の全体が屋根後１３および屋根前１２により覆われていないとすることができる。
【００３８】
また、開口検出部７０３は、別の一実施形態として、屋根後１３の水平からの傾きにより、筐体の上開口部の開口の程度を検出することができる。例えば、屋根後１３の下面に、傾きセンサーを配置し、傾きセンサーを開口検出部７０３として用いることができる。傾きセンサーとしては、重力加速度の方向を検出するセンサーを用いることができる。この場合、傾きセンサーが検出する屋根後１３の水平からの傾きが大きくなるにつれ、筐体の上開口部の開口の程度を大きくなっているとすることができる。
【００３９】
なお、傾きセンサーは、屋根後１３の下面でない位置に配置することができる。例えば、屋根後１３は厚さを有するので、傾きセンサーを屋根後１３の内部に埋め込むことができる。また、傾きセンサーを屋根後１３の上面や側面に埋め込むこともできる。
【００４０】
また、開口検出部７０３として、屋根皿１５に配置された圧力センサーを用いることができる。屋根後１３が水平になっていなければ、屋根皿１５には、突上棒１６または突上棒小１７の先端が接している。このため、屋根皿１５に突上棒１６または突上棒小１７の先端が接していれば、屋根皿１５の内部に配置された圧力センサーは、０でない圧力を検出することができる。また、屋根皿１５に突上棒１６が接している場合には、屋根後１３は、屋根皿１５に突上棒小１７が接しているよりも垂直に近くなっているので、圧力センサーの検出する圧力は、屋根皿１５に突上棒小１７が接しているよりも小さくなる。したがって、屋根皿１５に配置された圧力センサーにより、屋根後１３が水平になっており、筐体の上開口部が完全に覆われているか、突上棒小１７により、筐体の上開口部が開放されているか、あるいは、突上棒１６により、突上棒小１７によるよりも大きく筐体の上開口部が開放されているかどうかを検出することができる。
【００４１】
なお、圧力センサーとしては、圧力に応じた変形により抵抗値が変化する素子を用いることができる。
【００４２】
また、開口検出部７０３の一端子から屋根皿１５までの導電路を、導電材料である配線などを用いて形成しておくこともできる。この場合、開口検出部７０３の別端子から突上棒１６の先端までの導電路を形成しておき、また、開口検出部７０３の別端子から突上棒小１７の先端までの別の導電路を形成しておく。そして、開口検出部７０３の一端子から別端子までの導通が検出されなければ、屋根後１３は水平であり、筐体の上開口部が完全に覆われているとする。また、開口検出部７０３の一つ端子から別の端子までの導通が、突上棒１６の先端までの導電路を介して検出されれば、筐体の上開口部が開放（開口）され、突上棒小１７の先端までの導電路を介して検出されれば、突上棒１６の先端までの導電路を介して導通が検出される場合よりも小さく筐体の上開口部が開放（開口）されていることを検出する。
【００４３】
補正部７０１は、上述したように、ピックアップ７０２が変換した電気信号を、開口検出部７０３の出力する信号に応じて、補正を行う。このとき、補正部７０１は、屋根後１３および屋根前１２が水平であるか否かにより、異なる補正を行う。例えば、補正部７０１は、屋根後１３および屋根前１２が水平であることが開口検出部７０３により検出される場合には、ピックアップ７０２が変換した電気信号の表わす音声を、筐体の上開口部の全体が屋根後１３により覆われていないとした場合の音の特性そのもの、あるいは、そのような特性に近くなるように補正する。例えば、（Ａ）補正部７０１は、筐体の上開口部の全体が覆われていることが検出される場合に、筐体の上開口部の全体が覆われている場合と開放されている場合との周波数成分の大きさの相違を小さくする処理、また、逆の処理を行い、屋根後１３および屋根前１２が水平になっていても、筐体の上開口部の全体が屋根後１３により覆われていないときの音の特性あるいはその特性に近くなるように、ピックアップ７０２が変換した電気信号に処理を行うことにより補正をする。
【００４４】
また、逆に、（Ｂ）補正部７０１は、筐体の上開口部の全体が屋根後１３により覆われていないときに、筐体の上開口部の全体が覆われているときの音の特性あるいはその特性に近くなるように、ピックアップ７０２が変換した電気信号にする処理を行うことにより補正をすることもできる。
【００４５】
図８は、補正部７０１による補正について説明するための図である。すなわち、曲線８０１は、屋根後１３を突上棒１７の先端を屋根皿１５に挿入することにより筐体の上開口部を開放した場合に、ある鍵を押鍵しグランドピアノ１から離れた位置において音響特性を測定した場合のグラフである。また、曲線８０２は、屋根後１３で筐体の上開口部の全体を覆った場合に、同じ鍵を同じく押鍵しグランドピアノ１から同じく離れた位置において音響特性を測定した場合のグラフである。図８によれば、例えば、筐体の上開口部を開放した場合には、筐体の上開口部の全体を覆った場合よりも、１００Ｈｚ付近において、音圧が大きくなり、１０００Ｈｚ付近において逆となっている。そこで、補正部７０１は、（Ａ）の場合には、グラフ８０２の音響特性の信号がピックアップ７０２より受信されると、グラフ８０１の音響特性の信号に補正を行い、出力する。また、（Ｂ）の場合には、補正部７０１は、グラフ８０１の音響特性の信号がピックアップ７０２より受信されると、グラフ８０２の音響特性の信号に補正を行い、出力する。
【００４６】
上述の（Ａ）および（Ｂ）のいずれかとするには、例えば、譜面台１０の操作盤１８により選択可能とすることができる。
【００４７】
また、開口検出部７０３による屋根後１３の傾きの検出に応じて、補正部は、ピックアップ７０２が変換した電気信号を、屋根後１３が別の傾きをしているときの音の特性あるいはその特性に近い特性の音をあらわすように、変換した電気信号にする処理を行うことにより補正をすることもできる。すなわち、屋根後１３の傾きに応じて、補正の度合い、あるいは補正の量を異ならせることができる。ここに、補正の度合い、あるいは補正の量とは、特性を変化させる程度である。
【００４８】
したがって、補正部７０１は、屋根後１３が筐体の上開口部を覆っている場合に、ピックアップ７０２により変換される電気信号の表わす音の特性を、屋根後１３が筐体の上開口部をより少なく覆っている場合の特性に補正することができる。
【００４９】
イコライザ７０４は、補正部７０１が出力する補正の結果となる信号の周波数特性を変換する。例えば、可聴音域を構成する低音域、中音域および高音域の３つの音域の音の強度を調節して変換する。あるいは、３つ以上の音域に対して、グラフィカルなユーザインターフェースを介して設定された調節を適用して変換することもできる。この音の強度の調節やグラフィカルなユーザインターフェースも譜面台１０の操作盤１８により操作することとすることができる。
【００５０】
サラウンドシミュレータは、オーディオ再生時のサラウンド装置の音響特性をシミュレートしたり、グランドピアノ１を実際にはコンサートホールで演奏していないのに、あたかもコンサートホールで演奏しているような効果を付加した音響特性をシミュレートしたりする。例えば、コンサートホールを無音とした状態から、ステージからパルス状の音を発し、客席での音の変化を計測することにより、ステージから客席までの音の伝達関数を求めておく。そして、サラウンドシミュレータは、イコライザ７０４の出力に、求めておいた伝達関数のたたみ込みを算出する。
【００５１】
スピーカ７０６は、サラウンドシミュレータの出力を音声に変換する。
【００５２】
以上のように、本発明の実施形態によれば、屋根後によるグランドピアノの筐体の上開口部の開口の程度が異なっていても、常に同じまたは同様の特性の音を表わす電気信号を得ることができる。
【００５３】
また、屋根後によるグランドピアノの筐体の上開口部の開口の程度を変化させることにより、積極的にグランドピアノの音響特性を変化させた電気信号を得ることができる。
【００５４】
以上においては、グランドピアノを例に用いて説明したが、アップライトピアノについても本発明を適用することができる。例えば、アップライトピアノの屋根前が閉じた状態であるか開いた状態であるかを開口検出部７０３により検出することができる。例えば、照度センサーや傾きセンサーにより、このような検出をすることができる。また、照度センサーを用いることにより、アップライトピアノの上前板および下前板のいずれか一方以上が取り外されているか否かを検出することができる。
【符号の説明】
【００５５】
７０  信号処理装置、７０１  補正部、７０２  ピックアップ、７０３  開口検出部、７０４  イコライザ、７０５  サウンドシミュレータ、７０６  スピーカ
【図１】
0006409571.tif 000002
【図２】
0006409571.tif 000003
【図３】
0006409571.tif 000004
【図４】
0006409571.tif 000005
【図５】
0006409571.tif 000006
【図６】
0006409571.tif 000007
【図７】
0006409571.tif 000008
【図８】
0006409571.tif 000009